(57)【要約】【課題】記録メディアの表面に書き換え可能な表示部を設けて、記録されている内容を表示部に表示する際、記録されている内容が多いとその情報を限られた大きさの表示部に表示することができない。上記の機能を設けるに当たり、記録メディアを使用する記録装置に専用のハードウェアが必要になる。【解決手段】記録メディアに操作ボタンを設け、ユーザが操作ボタンを操作して適宜表示部を書き換えることで、一画面に表示しきれない量の情報でも、複数回に分けて表示できるようにする。記録メディア内で、表示部に表示する情報を自動的に生成するようにすることで、記録装置側に特別なハードウェアを必要としない。【選択図】図１
2009070472.tif 000002
【特許請求の範囲】
【請求項１】
記録メディアの表面に備えられ書き換え可能且つ記録メディアが使用される電子機器に接続されていない状態でも前記表示を維持することができる表示部と、
前記表示部の表示内容の切り換えに関するユーザ指示情報を入力する指示入力部と、
前記指示情報に基づいて前記表示部の表示を別の表示に切り換える表示制御部とを備える記録メディア。
【請求項２】
請求項１の記録メディアにおいて、
当該記録メディア内の情報が変更された際に前記表示部に表示する情報を生成する情報生成部を備える記録メディア。
【請求項３】
請求項１の記録メディアにおいて、
前記ユーザ指示情報が一定時間取得できなかった場合に表示するラベル情報を備え、
前記記録メディアを使用する電子機器から前記記録メディアを取り外し、前記ユーザ指示情報が取得されるまでの間と、前記ユーザ指示情報が取得できた後に前記ユーザ指示情報が一定時間取得できなかったときに、前記ラベル情報を前記表示部に表示する記録メディア。
【請求項４】
請求項３の記録メディアにおいて、
前記ラベル情報を、ユーザが入力した情報を基に生成し、前記ユーザが入力した情報がない場合は前記表示部に表示する情報を基に自動的に生成する記録メディア。
【請求項５】
請求項１の記録メディアにおいて、
前記記録メディアを使用する電子機器から、前記電子機器のユーザインタフェースを通してユーザがアクセス可能なファイルを前記記録メディア内に備え、ユーザによって前記ファイルが変更された際に、前記ファイルの内容に基づいて前記ラベル情報を生成する記録メディア。
【請求項６】
請求項２の記録メディアにおいて、
前記情報生成部は、前記記録メディアが、前記記録メディアが使用される電子機器から取り外された場合に、前記表示部に表示するための情報を生成し、
前期表示制御部は、当該生成した情報を前記表示部に表示させる記録メディア。
【発明の詳細な説明】
【技術分野】
【０００１】
本発明は、コンテンツを記録する記録メディアに関する。
【背景技術】
【０００２】
ＨＤＤやＤＶＤなどの記録メディアにテレビ放送を記録する記録再生装置の普及により、映像コンテンツを長期的に保存することができるようになった。近年、リムーバブルＨＤＤを利用し、ＶＴＲのような利用形態を取ることができる記録再生装置が発表されている。ビデオテープを使用する際、その中に記録されている内容が分かるように、ユーザは表面にコンテンツのタイトル等を記述したラベルを貼って管理する。記録メディアでも同様にラベルを貼ってメディアの管理をすることが想定されている。
【０００３】
ラベルによって記録メディアを管理する場合、新しいデータの記録や、記録されているデータの削除など、記録メディアを書き換えるたびにラベルにその内容を記述する作業が発生し、大変面倒である。また、ラベルを貼っていない場合やラベルに記載している内容が間違っている場合もあり、そのような記録メディアが増えると所望のデータがどこに記録されているのかが分からなくなるという問題が生じる。
【０００４】
上記問題を解決するために、特許文献１は、表示素子を記録メディアに取り付け、内容やその他の情報を表示できるようにした記録メディアを提案している。特許文献１の記録メディアには、表示部に表示する情報を蓄積する補助記録部も設けられている。記録メディアを使用する記録装置が、情報を書き換えるごとに補助記録部の内容も書き換えるため、記録メディアの表示部に、常に、何が記録されているかを表示させることができる。
【０００５】
【特許文献１】特開平８−１６７２６９号公報
【発明の開示】
【発明が解決しようとする課題】
【０００６】
しかしながら、上記の方法では、表示部に大量の情報を表示することについては考慮されておらず、表示できる情報量は表示部の表示領域の大きさに依存している。
【０００７】
大容量ＨＤＤへの適用を想定した場合、特許文献１で例示されている記録メディアと比べて記録するデータの数が多くなるため、記録メディアに取り付けることができる表示素子の限られたスペースではそれら記録内容について表示するには領域的に不十分であると考えられる。
【０００８】
また、特許文献１では、記録メディアに合わせて専用の記録装置が必要となっている。対応していない記録装置で使用した場合、表示部に表示するための情報を書き換えることができず、記録メディアに記録されている内容と表示部に表示されている内容とに不一致が生じてしまう可能性がある。
【０００９】
本発明は、このような事情を鑑みてなされたもので、記録メディアの表面に設けた表示部の情報を書き換える機能を記録メディアに持たせた上で、ユーザの指示によって表示内容の書き換えを行えるようにすることで、一画面に表示しきれない量の情報を表示する機能を持たせることを一つの目的とする。また、表示部に表示する情報を記録メディア内部で自動的に生成することで、表示部に表示する情報の書き込みに専用の記録装置を必要としないようにする。
【課題を解決するための手段】
【００１０】
上記目的を達成するために、本発明では例えば、記録再生装置に接続し録画番組を記録する記録メディアに書き換え可能な表示部を設け、記録メディアに記録されている録画番組の情報を表示する。さらに、表示する内容を切り換えるための操作ボタンを設け、ユーザが操作ボタンを操作して表示を切り換えることで、一画面では表示しきれない量の情報を表示できるようにする。例えば、大量の録画番組が記録されていて番組リストが一画面に表示しきれない場合に、表示を切り換えることで番組リストを複数回に分けて表示する。また、番組リストの中から一つの番組を選択し、その番組についてより詳しい内容を表示することもできる。
【００１１】
書き換え可能な表示部は、例えば電子ペーパーなど、表示内容を電気的に書き換えることができ、電源切断後も一定期間表示内容を維持できるものにする。記録メディアを記録再生装置に接続しなくとも、単独で表示部を書き換えることもできるようにするために電源を内蔵する。さらに、記録メディア内に主となる記憶領域とは別に、フラッシュメモリなどによる補助的な記憶領域を設け、表示部に表示させる為の情報はこの記憶領域に記録する。記録メディア単独で動作させる場合は、その記憶領域のみを使用することによって低消費電力で動作させることができる。
【００１２】
表示部に表示する情報は、記録メディアに記録された情報を基に記録メディア内で生成する。ユーザが、記録メディアにタイトルを付けたりメモを登録する場合は、記録メディア内のＨＤＤに、記録再生装置のユーザインタフェース部を通してユーザがアクセス可能なファイルを用意して、その中の文字列を自動的にフラッシュメモリにコピーするようにする。このように記録メディア内で自動的に一連の処理を行うことで、記録再生装置に特別なハードウェアを必要としない。
【発明の効果】
【００１３】
上記手段によれば例えば、録画番組を記録するための記録メディアにおいて、記録メディアに設けられた表示部に記録メディア単独で、記録されている録画番組のタイトル一覧や、録画時間、録画日時などを表示することができるようにすることで、記録再生装置に接続しなくても、ユーザがそれらの内容を確認することができるようになる。表示部に表示される情報は、ユーザが記録メディアに設けられた操作ボタンを操作することによって切り換えることができ、一画面では表示できない量の情報でも分割して表示させることができる。
【発明を実施するための最良の形態】
【００１４】
以下、図を参照して本発明の実施の形態について説明する。
【００１５】
以下の実施例ではデジタル放送を受信してＭＰＥＧ−２  ＴＳを記録することができる記録再生装置を対象としている。しかしながら、これは本発明の説明のための例示であって、本発明の範囲をこの例に限定する趣旨はない。本発明は、下記実施例以外の様々な記録再生装置でも実施することが可能である。
【００１６】
本発明は、図２に示すように記録メディアの表面に記録されている番組に関する情報を表示するための書き換え可能な表示部を設け、さらに、その情報を記録するためのフラッシュメモリと、ユーザの操作に従ってそのフラッシュメモリから番組に関する情報を読み出して表示部に表示させる機能を備え、記録メディアを記録再生装置に接続していなくても記録されている録画番組の情報を確認できるようにするものである。
【００１７】
図２、図３(Ａ)、図３(Ｂ)に実施例で取り上げる記録再生装置と記録メディアの概要図を示す。図２は記録メディアの概要図である。記録再生装置との接続部２０２、書き換え可能な表示部１  ２０４、操作ボタン１  ２０５、操作ボタン２  ２０６、操作ボタン３  ２０７、操作ボタン４  ２０８、書き換え可能な表示部２０９から構成される。記録メディアの側面にも設けられている書き換え可能な表示部２  ２０９は、複数の記録メディアを重ねて側面しか見えない状態になった場合でも見えるようにするためのものであり、主に記録メディアのタイトルを表示する。図２では、通常、ラベルが貼られる面に表示部２０４を設けているが、表示部の場所は見やすければ他の部分でもよく、この場所に限定するものではない。側面に設けている表示部２０９も同様に見やすければどの部分にあってもよい。図３(Ａ)は、リムーバブルＨＤＤを記録メディアとして使用する記録再生装置、図３(Ｂ)は、リムーバブルＨＤＤを記録メディアとして使用する記録再生機能を備えたテレビである。また、図３(Ａ)、(Ｂ)に挙げる記録再生装置は、本発明の説明のための例示であって、本発明の範囲をこの例に限定する趣旨はなく、他の形態であってもよい。
【００１８】
図１は、記録再生装置と記録メディアのブロック図である。
【００１９】
図１に示す記録再生装置１００は、アンテナ１０１、受信部１０２、デコード部１０３、表示制御部１０４、ユーザインタフェース部１０５、制御部１０６、記録再生制御部１０７、ＨＤＤＩ／Ｆ部１０９、ＨＤＤ１１０から構成される。記録メディア１２０は、操作ボタン１２１、記録メディア用録画番組情報生成部１２２、ＨＤＤＩ／Ｆ部１２３、表示制御部１２４、制御部１２５、ＨＤＤ制御部１２６、表示部１２７、フラッシュメモリ１２８、ＨＤＤ１２９から構成される。１５０は、記録メディア１２０が、表示部１２７に録画番組情報を表示させるときに動作する部分である。
【００２０】
アンテナ１０１と受信部１０２ではデジタル放送の受信を行う部分である。デコード部１０３は受信されたデジタル放送を受け、チャンネルごとの放送波の分離や制御情報の取り出し、画を表示するためのデコードを行う部分である。表示制御部１０４は、デコードされたＭＰＥＧ−２  ＴＳを図では省略されている表示装置に表示させる部分である。ユーザインタフェース部１０５は、ユーザから選局や、番組の録画再生などの操作を入力する部分である。制御部１０６は、記録再生装置１００の全体制御を行うための部分である。ユーザインタフェース部１０５からの入力を受信し各部に指示を出すのに加え、受信部１０２、デコード部１０３、表示制御部１０４、記録再生制御部１０７の処理のタイミングを計って各部が連携できるようにする。記録再生制御部１０７は、番組を記録する際にデコード部１０３からＭＰＥＧ−２  ＴＳを受信し、ＨＤＤ１１０、または、記録メディア１２０に記録する部分である。記録再生制御部１０７は、また、電子番組表から番組情報を取得し、録画時に得られる情報を加えて録画番組情報を生成する。ＨＤＤ１１０は、録画番組のストリームを蓄積する部分である。記録メディア用録画番組情報生成部１２２は、記録メディア１２０の表示部１２７に表示させるための記録メディア用録画番組情報と記録メディア情報をフラッシュメモリ１２８に書き込む部分である。ＨＤＤＩ／Ｆ部１０９は、接続された記録メディア１２０に対して番組の録画を行う際に、記録メディア１２０に録画番組のストリームと録画番組情報を送信したり、接続された記録メディア１２０から録画番組の再生を行う際に、記録メディア１２０から録画番組のストリームと録画番組情報を受信したりする部分である。
【００２１】
ここで、番組ストリームとは、番組の映像ストリームを指し、本実施例ではデジタル放送から受信したＭＰＥＧ−２  ＴＳを指すものとする。録画番組情報とは、番組のタイトル、内容、時間等の番組に関する情報を指し、本実施例では、図４(Ａ)に示すように、デジタル放送の電子番組表から取得できる情報と録画時間や番組ストリームの容量などの録画処理に関係した情報を組み合わせたものを指す。また、記録メディア用録画番組情報は、記録メディア１２０の表示部１２７に表示させるための情報で、録画番組情報を基に作られる。記録メディア情報は、記録メディアのタイトルや内容についてのユーザが任意に作成するメモによって構成される情報である。
【００２２】
次に本発明の記録メディア１２０について説明する。操作ボタン１２１は、記録メディアを動作させて表示部１２７に表示させる録画番組情報を操作する場合にユーザの操作を受け付ける部分である。記録メディア用録画番組情報生成部１２２は、ＨＤＤ制御部１２６を通してＨＤＤ１２９から録画番組情報を読み出し、記録メディア用録画番組情報と記録メディア情報を生成してフラッシュメモリ１２８に書き込む。ＨＤＤＩ／Ｆ部１２３は、記録再生装置のＨＤＤＩ／Ｆ部１０９と接続し、記録再生装置との間で番組ストリームと録画番組情報の送受信を行う部分である。表示制御部１２４は、表示部１２７を制御し、適宜表示を切り換えて番組情報を表示させる。制御部１２５は、記録メディアを単独で動作させる際に、操作ボタン１２１を通してユーザの操作を受付け、適切な番組情報をフラッシュメモリ１２８から読み出して表示部１２７に表示させる制御を行う。ＨＤＤ制御部１２６は、記録再生装置から記録再生を行う際、ＨＤＤ１２９を制御して番組ストリームの書き込み、読み出しを行い、ＨＤＤＩ／Ｆ部を通して、記録再生装置との間で番組ストリームをやり取りする。表示部１２７は、書き換え可能な表示装置で、番組情報の表示を行う。フラッシュメモリ１２８は、表示部１２７に表示するための記録メディア用録画番組情報を記録する部分である。ＨＤＤ１２９は番組ストリームを記録する部分である。尚、図には明示していないが記録メディア１２０は電源を内蔵し、制御部１１５に接続された録画番組情報の表示に関係するブロック１５０だけを単独で動作させることができる。
【００２３】
次に記録メディア１２０のフラッシュメモリ１２８に書き込まれる記録メディア用録画番組情報と、この番組情報を基に記録メディア１２０の表示部１２７に表示される画面について説明する。表示画面の例を図５(Ａ)〜(Ｆ)に示す。
【００２４】
図５(Ａ)〜(Ｃ)は、ラベルの代わりとして表示されるラベル情報で、記録されている番組の概要が分かる表示が望ましい。図５(Ａ)〜(Ｃ)の表示例の共通部分として、記録メディアに付けたタイトル、記録されている番組の合計時間の残り時間がある。タイトルはユーザが任意に設定できるようにして、ユーザが設定しない場合は、最初の録画番組のタイトルを自動的に表示するなどしてもよい。図５(Ａ)は、これに加え番組リストを表示したものである。図５(Ｂ)は、記録メディア内のディレクトリ構成を表示したものである。記録されている番組数が多く、ディレクトリで管理されている場合は、このように表示しても良い。図５(Ｃ)は、ユーザが任意にメッセージを入力したものである。(Ａ)〜(Ｃ)のすべての表示方法を可能にして、ユーザが任意で表示方法を選択できるようにしてもよい。これらの情報は、記録メディア情報としてフラッシュメモリ１２８に登録されている。尚、図５の表示例は、本発明の説明のための例示であって、表示方法をこの３つに限定するものではない。
【００２５】
図４(Ａ)に図５に示す表示の基となる録画番組情報の例を示す。ＩＤ４０１は、番組を録画した際に記録再生装置１００が割り当てる録画番組固有のＩＤである。ディレクトリ情報４０２は、番組ストリームが格納されているディレクトリを示している。「／パパ／映画」では、「パパ」という名前のディレクトリの中にある「映画」という名前のディレクトリ内に格納されていることを示す。記録されたばかりの録画番組には、ディレクトリは設定されておらず、ディレクトリ作成や作成したディレクトリへ録画番組の移動はユーザが任意に行う。４０３〜４０６までの情報は、デジタル放送の電子番組表から取得した情報である。録画日時４０８に記述されている日時も電子番組表より取得でき、ユーザが電子番組表をもとに予約録画を行った場合は、電子番組表の時刻情報が記述されるが、ユーザが任意の時間に手動で録画を開始した場合は、その時刻が記述される。録画モード４１０は、ユーザが録画の際に設定した録画品質に関する情報である。４０９は録画時間を表し、録画が終了した時点で録画開始から録画終了までの時間を計算して記述する。
【００２６】
図４(Ｂ)に記録メディア情報の例を示す。メディアＩＤ４５１は記録再生装置１００が記録メディアごとに割り当てる固有のＩＤを示す。メディアタイトル４５２は、記録メディア用録画番組情報生成部１２２が録画番組情報から自動的に生成するか、ユーザが記録メディアごとに任意に設定する。自動的に生成する場合は、例えば、録画番組情報の中から先頭の番組のタイトルを使用すればよい。メモ４５３は、図５(Ｃ)の表示に使用するためにユーザが任意に設定する文字列である。録画番組数４５４は、記録メディアに記録されている録画番組の数である。合計時間４５５は、記録メディアに登録されている録画番組の録画時間の合計である。残り時間４５６は、記録メディアに記録可能な残り時間である。録画番組数４５４、合計時間４５５、残り時間４５６は、図４(Ａ)の録画番組情報を基に記録メディア用録画番組情報生成部１２２が予め計算し、図４(Ｂ)のように記録メディア情報に含める。
【００２７】
記録メディア用録画番組情報は、この録画番組情報と同じでもよいが、データ容量を削減するために部分的にデータを削ってもよい。最低限、タイトル４０１があればよく、例えば番組内容４０４を削ってもよい。また、記録メディア用録画番組情報生成部１２２で表示部１２７に表示する図５に示すような画像を生成し、フラッシュメモリ１２８に書き込み、記録メディア１２０は、簡易的にこの画像を表示部１２７に表示するだけにしてもよい。
【００２８】
図６(Ａ)は、記録再生装置に記録メディアを接続し、デジタル放送の番組を一つ録画し、録画が完了してから記録メディアを取り出すまでのフローである。
【００２９】
Ｓ６０１で記録メディアを記録再生装置に接続すると、Ｓ６０２で記録メディア内のＨＤＤに記録されている録画番組情報とフラッシュメモリに記録されている記録メディア情報が記録再生装置のメモリ上に読み込まれる。Ｓ６０３の録画処理は、録画する番組が放送されるチャンネルが選局されて、その番組ストリームがＨＤＤに記録され、番組の録画が完全に終了するまでの一連の流れを示している。
【００３０】
尚、記録先を記録装置内のＨＤＤにするか、記録メディアにするかを選択する際のフローを図６(Ｂ)に示す。まず、Ｓ６１１で記録メディアが接続されているかどうかを確認する。記録メディアが接続されていなければ、自動的に内蔵のＨＤＤを選択してＳ６１４に遷移する。記録メディアが接続されていればＳ６１２に遷移して、ユーザにどちらに記録するかを選択させる。
【００３１】
録画処理が完了するとＳ６０４に遷移する。Ｓ６０４では、録画した番組の情報をＳ６０２でメモリ上に展開した録画番組情報に追加する。そしてＳ６０５で、更新した録画番組情報を記録メディア内のＨＤＤ１２９に書き込む。次にＳ６０６で、記録メディア用録画番組情報生成部１２２がＨＤＤ制御部１２６を通してＨＤＤ１２９から録画番組情報を読み込み、記録メディア用録画番組情報を生成する。また、記録メディア情報の録画時間と残り時間を更新してフラッシュメモリ１２８に書き込む。次にＳ６０７で、記録メディアの表示部を、更新した録画番組情報に従って書き換える。Ｓ６０８にあるように、この状態で記録メディアを取り出すことが可能である。取り出しをせずに、さらに番組の録画を行う場合は、Ｓ６０３〜Ｓ６０７までを繰り返す。このように、記録メディア内のＨＤＤ１２９にある録画番組情報が書き換えられる度に、それをトリガーにして記録メディア用録画番組情報生成部が、ＨＤＤ内の録画番組情報を読み出して記録メディア用録画番組情報を生成してフラッシュメモリに書き込みを行う。
【００３２】
記録メディア情報のうち、ユーザが任意に記述するタイトルやメモは、ＨＤＤ内に記録再生装置のユーザインタフェース部１０５を通してユーザがアクセス可能なファイルを用意して、そのファイルに記述するようにする。ユーザによってそのファイルが書き換えられると、それをトリガーにして、記録メディア用録画番組情報生成部が、その中の文字列をフラッシュメモリ内の記録メディア情報にコピーするか、または、その文字列を基にフラッシュメモリ内の記録メディア情報を更新する。
【００３３】
本実施例では、読み書きを行っているとき以外はいつでも記録メディアを記録再生装置から取り出すことができるようにしているが、ユーザが取り出しを指示することによって始めて取り出すことができるようにすれば、その指示をトリガーにして記録メディア用録画番組情報を生成して、フラッシュメモリに書き込みを行うようにしてもよい。
【００３４】
Ｓ６０７で、記録メディアの表示部を、更新した録画番組情報に従って書き換える際、記録メディア情報が更新されていれば、これも反映する。記録メディアの表示部の表示形式として図５(Ａ)が選択されている場合、図４(Ｂ)のメディアタイトル４５２、合計時間４５５、残り時間４５６の値と、図４(Ａ)のタイトル４０３の値が取り出され表示される。このときメディアタイトル４５２と共に表示される録画番組のタイトルは簡易的に表示するものであり、領域的に表示できる量だけを録画日時が新しいものから表示する。図５(Ａ)では、図４(Ａ)の中で録画日時が新しい一番下のタイトルから順に表示されている。最も録画日時が古い「Ａリーグ準決勝」は表示されていない。新しい番組が記録されると、その番組のタイトルが先頭に表示され、表示されていた番組の中で最も古い番組のタイトルが表示されなくなる。このように、常に最新の録画番組のタイトルが表示されるようにする。図５(Ａ)では、タイトルのみを２段組みにして表示しているが、１段にしてタイトルに加え録画日時４０８や録画時間４０９を表示しても良い。また、視聴状況４１１を参照して未視聴の録画番組のタイトルのみを表示するようにしても良い。
【００３５】
図５(Ｂ)が選択されている場合は、ディレクトリのみが表示される。図５(Ｃ)が選択されている場合は、図４(Ｂ)のメモ４５３の値が表示される。
【００３６】
次に記録再生装置１００と記録メディア１２０との間で録画番組のムーブを行う際のフローについて説明する。ムーブは、データをコピーした後、コピー元のデータを削除する動作である。記録再生装置１００から記録メディア１２０にムーブする場合のフローを図６(Ｃ)に示す。
【００３７】
まず、Ｓ６５１で番組ストリームのムーブを行う。次にメモリ上にある記録再生装置と記録メディア双方の録画番組情報を書き換える。まず、Ｓ６５２で記録メディア１２０の録画番組情報にムーブした番組の情報を追加する。次にＳ６５３で記録再生装置１００の録画番組情報からムーブした番組の情報を削除する。尚、ムーブではなくコピーの場合は、Ｓ６５３は行わない。そしてＳ６５４で記録メディアに録画番組情報を書き込む。次にＳ６５５で、記録メディア用録画番組情報を生成。また、記録メディア情報の録画時間と残り時間をムーブ後の時間に更新してフラッシュメモリに書き込む。最後にＳ６５６で、記録メディア１２０の表示部１２７をムーブ後の情報に書き換えて終了する。記録メディア１２０から記録再生装置１００にムーブする場合は、Ｓ６５２とＳ６５３で記録メディア１２０と記録再生装置１００が逆になる。
【００３８】
記録メディアの操作ボタンを操作して、表示部に表示する番組情報の内容を選ぶ動作を図２に示す記録メディア概要図と図５に示す表示画面、図７に示すフローを使って説明する。
【００３９】
操作ボタンは、図２に示す２０５〜２０８までの４つの表示切換ボタンである。図５(Ｅ)の５０３、５０４は操作ボタン３  ２０７、操作ボタン４  ２０８と対応しており、それぞれの操作ボタンがどんな操作に対応しているかを示している。操作ボタン３  ２０７を押すと詳細表示の図５(Ｅ)に示す画面に移る。操作ボタン１  ２０５と操作ボタン２  ２０６は、表示画面中のカーソル５０１を上下に移動させるためのボタンである。５０２は一般的なスクロールバーである。番組情報が見たいタイトルにカーソルを合わせて操作ボタン３  ２０７を押すと図５(Ｆ)の画面に切り換わり、番組の詳細な情報を見ることができる。
【００４０】
図７のフローについて説明する。何も操作されない状態では、図５(Ａ)〜(Ｃ)に示すラベル情報が表示されている。Ｓ７０１で操作ボタン３  ２０７を押すと、Ｓ７０２に遷移して図１制御部１１５がフラッシュメモリ１１８の中の記録メディア用録画番組情報を読み込む。次にＳ７０３で図５(Ｅ)に示すような番組タイトル一覧表示に切り換える。ここで、画面上に「戻る」と表示されている操作ボタン４  ２０８を押すとＳ７１０に遷移し、図５(Ａ)〜(Ｃ)に示す元の表示に戻る。Ｓ７０５で詳細表示したい番組のタイトルを選択するが、選択しない場合、一定時間が経過するとＳ７１０に遷移し、図５(Ａ)〜(Ｃ)に示すラベル情報表示に戻る。操作ボタン１  ２０５、操作ボタン２  ２０６でカーソルを移動させ、画面に「詳細表示」と表示されている操作ボタン３  ２０７を押すと番組のタイトルが選択され、Ｓ７０７に遷移して番組の詳細情報を表示する。画面上に「戻る」と表示されている操作ボタン４  ２０８を押すとＳ７０３の録画番組タイトルの一覧表示に戻る。ここでも、一定時間操作を行わないとＳ７１０に遷移し、図５(Ａ)〜(Ｃ)の表示に切り換わる。
【００４１】
Ｓ７０２で図４(Ａ)に示す録画番組情報が読み込まれると、図５(Ａ)の表示のときと同様に新しい録画番組から表示していく。図５(Ａ)と同様に表示できる分だけ表示されるが、図５(Ｅ)の表示の場合は、操作ボタン１ ２０５、操作ボタン２  ２０６を使って画面を切り換えることで図４(Ａ)のすべての録画番組のタイトルを表示・選択をすることができる。タイトルが選択されると内容４０６が読み込まれ、図５(Ｆ)のように表示される。図５(Ｂ)の表示から任意のディレクトリを選択し、そのディレクトリ内の録画番組のタイトル一覧を表示するようにして、ディレクトリを辿りながら録画番組のコンテンツを選択するようにしても良い。
【００４２】
本実施例では、表示部の切り換えを行うために記録メディアに操作ボタンが設けられている例を示したが、ユーザの指示を伝える手段はこれに限ったものではない。例えば、加速度センサーを内蔵し、記録メディアの傾きを検出して、任意の方向に傾けられたときに表示が切り換わるようにしてもよい。この場合、いくつかの画面を単純に切り換えて表示することしかできないが、操作ボタンは必要ない。
【００４３】
また、記録メディアの電源に太陽電池を用いることで、同様に操作ボタンが必要ない実施例も考えられる。図２で操作ボタンを配置している部分に、操作ボタンの代わりに太陽電池を配置する。太陽電池に光が当たると、発生した電力によって表示が行われる。この際に、どの画面を表示したかをフラグ等で管理してフラッシュメモリに記録するようにすれば、ユーザが指などで太陽電池を覆うことで一旦光を遮り、再度、光を当てて表示を再開されたときに、記録メディアの制御部がそのフラグを確認して別の画面を表示するようにできる。このようにしてユーザが太陽電池を一旦遮る度に画面を切り換えるようにしてもよい。
【図面の簡単な説明】
【００４４】
【図１】記録再生装置および記録メディアの構成例である。
【図２】記録メディアの外観例である。
【図３（Ａ）】記録再生装置の外観例である。
【図３（Ｂ）】記録再生機能を備えたテレビの外観例である。
【図４（Ａ）】録画番組情報を管理するテーブルの例である。
【図４（Ｂ）】記録メディアの情報を管理するテーブルの例である。
【図５（Ａ）】書き換え可能な表示部に表示する表示画面の例である。
【図５（Ｂ）】書き換え可能な表示部に表示する表示画面の例である。
【図５（Ｃ）】書き換え可能な表示部に表示する表示画面の例である。
【図５（Ｄ）】側面に設けた書き換え可能な表示部に表示する表示画面の例である。
【図５（Ｅ）】書き換え可能な表示部に表示する表示画面の例である。
【図５（Ｆ）】書き換え可能な表示部に表示する表示画面の例である。
【図６（Ａ）】録画処理のフローの例である。
【図６（Ｂ）】記録先を選択する際のフローの例である。
【図６（Ｃ）】記録先へムーブする際のフローの例である。
【図７】記録メディアの表示部を切り換える際のフローの例である。
【符号の説明】
【００４５】
１００  記録再生装置
１２０  記録メディア
２０１  記録メディア
２０２  接続部
２０３  接続方向を示す印
３２１  記録再生装置
３２２  記録メディア挿入部
３２３  記録メディア
３３１  記録再生装置を内蔵したテレビ
３３２  記録メディア挿入部
３３３  記録メディア
【図１】
2009070472.tif 000003
【図２】
2009070472.tif 000004
【図３（Ａ）】
2009070472.tif 000005
【図３（Ｂ）】
2009070472.tif 000006
【図４（Ａ）】
2009070472.tif 000007
【図４（Ｂ）】
2009070472.tif 000008
【図５（Ａ）】
2009070472.tif 000009
【図５（Ｂ）】
2009070472.tif 000010
【図５（Ｃ）】
2009070472.tif 000011
【図５（Ｄ）】
2009070472.tif 000012
【図５（Ｅ）】
2009070472.tif 000013
【図５（Ｆ）】
2009070472.tif 000014
【図６（Ａ）】
2009070472.tif 000015
【図６（Ｂ）】
2009070472.tif 000016
【図６（Ｃ）】
2009070472.tif 000017
【図７】
2009070472.tif 000018